(57)【要約】【課題】張り材の張設の際に発生する張力に対抗して保持する必要なく、止着作業を容易に行うことができるパネル装置を提供すること。【解決手段】一対の杆材１０，１０に突軸１７が突設されているとともに、一対の連結材１１，１１のうち少なくとも一方の連結材１１における端部に、突軸１７に係合する係合部が設けられており、一方の連結材１１は、張り材１２が他方の連結材１１及び一対の杆材１０，１０に被嵌された状態において、係合部を突軸１７に係合した状態で杆材１０に止着される。【選択図】図３
2009114704.tif 000002
【特許請求の範囲】
【請求項１】
互いに対向する一対の杆材と、該一対の杆材を連結し互いに対向する一対の連結材と、から成る枠体と、
端縁部がそれぞれ前記一対の杆材及び一対の連結材に被嵌されることで前記枠体に張設される張り材と、
から構成されたパネル装置であって、
前記一対の杆材に突軸が突設されているとともに、前記一対の連結材のうち少なくとも一方の連結材における端部に、前記突軸に係合する係合部が設けられており、
前記一方の連結材は、前記張り材が他方の連結材及び前記一対の杆材に被嵌された状態において、前記係合部を前記突軸に係合した状態で前記杆材に止着されることを特徴とするパネル装置。
【請求項２】
前記係合部は、前記突軸の一部の外周面に沿って係合する内周面を有する係合片であって、該係合片は、他方の連結材との間に前記突軸を挟む位置に配置することで前記突軸に係合することを特徴とする請求項１に記載のパネル装置。
【請求項３】
前記係合片が設けられた連結材に被嵌される前記張り材の端縁部は、該連結材が回動可能に嵌挿される筒状部に形成されていることを特徴とする請求項２に記載のパネル装置。
【請求項４】
前記連結材は、前記係合片と、該係合片に係合された前記突軸の残りの周面に係合する閉塞片と、の間で前記突軸を挟持することで該突軸に止着されることを特徴とする請求項２または３に記載のパネル装置。
【請求項５】
前記突軸に、前記杆材の軸方向に貫通した貫通孔が形成されており、該貫通孔に、前記閉塞片に突設された雌ネジ孔を有する突部を嵌合するとともに、前記係合片の外方から挿入した雄ネジにより螺合することを特徴とする請求項４に記載のパネル装置。
【請求項６】
前記連結材の係合部の端面が、前記杆材の周面に沿って該杆材の軸方向視凹形状に形成されていることを特徴とする請求項１ないし５のいずれかに記載のパネル装置。
【発明の詳細な説明】
【技術分野】
【０００１】
本発明は、互いに対向する一対の杆材、及びこの杆材を連結し互いに対向する一対の連結材から成る枠体と、端縁部がそれぞれ杆材及び連結材に被嵌されることで枠体に張設される張り材と、から構成されたパネル装置に関する。
【背景技術】
【０００２】
従来のパネル装置は、杆材を備えた枠体の各辺に、弾性を有する張り材における筒状部に形成した端縁部を嵌合させることで、張り材を張設している（例えば、特許文献１参照）。
【０００３】
【特許文献１】特開２００６−１１２０５９号公報（第６頁、第７図）
【発明の開示】
【発明が解決しようとする課題】
【０００４】
しかしながら、特許文献１にあっては、施工者が、張り材の張設の際に発生する張力に対抗して、杆材に対する張り材の位置を手で保持した状態で測りながら、止着位置を調整する必要があり、施工効率の面で課題が残されていた。
【０００５】
本発明は、このような問題点に着目してなされたもので、張り材の張設の際に発生する張力に対抗して保持する必要なく、止着作業を容易に行うことができるパネル装置を提供することを目的とする。
【課題を解決するための手段】
【０００６】
上記課題を解決するために、本発明の請求項１に記載のパネル装置は、
互いに対向する一対の杆材と、該一対の杆材を連結し互いに対向する一対の連結材と、から成る枠体と、
端縁部がそれぞれ前記一対の杆材及び一対の連結材に被嵌されることで前記枠体に張設される張り材と、
から構成されたパネル装置であって、
前記一対の杆材に突軸が突設されているとともに、前記一対の連結材のうち少なくとも一方の連結材における端部に、前記突軸に係合する係合部が設けられており、
前記一方の連結材は、前記張り材が他方の連結材及び前記一対の杆材に被嵌された状態において、前記係合部を前記突軸に係合した状態で前記杆材に止着されることを特徴としている。
この特徴によれば、連結材の係合部を突軸に係合し止着することで、連結材の杆材への連結作業と、張り材の張設作業とを同時に行うことが出来る。また、連結材の係合部を突軸に係合し、この係合で張り材により発生する張力を突軸に預け位置決めした状態で、連結材を突軸に対し止着できるので、張り材の張設の際に発生する張力に対抗しながら連結材を止着する不具合を解消でき、連結材を杆材に止着し易い。
【０００７】
本発明の請求項２に記載のパネル装置は、請求項１に記載のパネル装置であって、
前記係合部は、前記突軸の一部の外周面に沿って係合する内周面を有する係合片であって、該係合片は、他方の連結材との間に前記突軸を挟む位置に配置することで前記突軸に係合することを特徴としている。
この特徴によれば、連結材の端部に設けられた係合片が、他方の連結材との間に突軸を挟む位置に配置して突軸に係合することにより、他方の連結材との間の方向において張り材に発生する張力に対抗して係合し易く、また発生した張力を利用して、連結材を突軸から外れることなく係合状態を維持出来る。
【０００８】
本発明の請求項３に記載のパネル装置は、請求項２に記載のパネル装置であって、
前記係合片が設けられた連結材に被嵌される前記張り材の端縁部は、該連結材が回動可能に嵌挿される筒状部に形成されていることを特徴としている。
この特徴によれば、係合片が設けられた連結材を突軸に係合する際に、他方の連結材側から突軸に向けてアプローチした係合片の内周面を突軸の外周面に当接させ、この状態で筒状部に嵌挿された連結材を回動することで、係合片の内周面を突軸の外周面に沿って移動させるだけで、一対の杆材の間隔を一々変えることなく、他方の連結材との間に突軸を挟む位置に容易に配置することができる。
【０００９】
本発明の請求項４に記載のパネル装置は、請求項２または３に記載のパネル装置であって、
前記連結材は、前記係合片と、該係合片に係合された前記突軸の残りの周面に係合する閉塞片と、の間で前記突軸を挟持することで該突軸に止着されることを特徴としている。
この特徴によれば、突軸に係合した係合片を利用して、この係合片と閉塞片との間で突軸を挟持するだけで、連結材を突軸に対し簡便に止着できる。また、突軸の周面をほぼ全周に亘って利用して、連結材の突軸に対する止着に寄与することができる。
【００１０】
本発明の請求項５に記載のパネル装置は、請求項４に記載のパネル装置であって、
前記突軸に、前記杆材の軸方向に貫通した貫通孔が形成されており、該貫通孔に、前記閉塞片に突設された雌ネジ孔を有する突部を嵌合するとともに、前記係合片の外方から挿入した雄ネジにより螺合することを特徴としている。
この特徴によれば、突軸に形成された貫通孔に、閉塞片に突設された雌ネジ孔を有する突部を嵌合するとともに、係合片の外方から挿入した雄ネジにより螺合することで、連結材を容易かつ強固に杆材に止着することができる。また、貫通孔が杆材の軸方向に形成されていることで、一対の連結材に発生する杆材の軸方向の張力により、雄ネジにせん断力が生じてしまうことを防止できる。
【００１１】
本発明の請求項６に記載のパネル装置は、請求項１ないし５のいずれかに記載のパネル装置であって、
前記連結材の係合部の端面が、前記杆材の周面に沿って該杆材の軸方向視凹形状に形成されていることを特徴としている。
この特徴によれば、杆材の軸方向視凹形状に形成された連結材の端面を杆材の周面に沿って摺接させるように連結材を杆材の軸方向に案内することで、連結材が、張り材により発生する張力を原因として杆材に対してぶれることなく、突軸に向けて確実にアプローチ出来る。
【発明を実施するための最良の形態】
【００１２】
本発明の実施例を以下に説明する。
【実施例】
【００１３】
本発明の実施例を図面に基づいて説明すると、先ず図１は、本発明のパネル装置が適用された共有空間構造体の全体像を示す斜視図である。図２（ａ）は、パネル装置の一部破断正面図であり、（ｂ）は、パネル装置の側面図である。図３（ａ）は、張り材を杆材に嵌挿した状況を示す斜視図であり、（ｂ）は、連結材を突軸に取付ける状況を示す斜視図である。図４は、杆材と連結材との取付状況を示した斜視図である。図５（ａ）は、連結材を突軸にアプローチする状況を示す拡大正面図であり、（ｂ）は、（ａ）のＡ−Ａ断面図である。図６（ａ）は、連結材を突軸に係合した状況を示す拡大正面図であり、連結材を突軸に止着する状況を示す拡大正面図である。
【００１４】
図１の符号１は、本発明の適用された共有空間構造体であり、この共有空間構造体１はオフィス等の屋内空間で使用され、コミュニケーションスペース（共有空間）を他のオフィス等の空間と区別するものであり、オフィス等の床面の所定位置に立設されている。また、この共有空間構造体１は、天井近傍までの高さを有する円柱状の４本のポール２と、隣り合う２本のポール２間の上部に水平に渡される４本の上部フレーム３から構築されている。
【００１５】
共有空間構造体１の内側には、ノートパソコン等の電子機器を載置するパソコン支持台や、隣り合う２本のポール２及びポール２間に設けられる上部フレーム３により支持されるパネル体などが配設されている。
【００１６】
次に、パネル装置７は、上部フレーム３に取付けられて共有空間構造体１内のコミュニケーションスペースを遮蔽する装置であって、上下方向に配設され互いに対向する一対の杆材１０，１０、及びこの一対の杆材１０を連結し互いに対向する一対の連結材１１，１１から成る枠体と、弾性を有する材質であって布状の素材から成り、上記枠体に対し張設される張り材１２と、から構成されている。パネル装置７は、杆材１０の上端が上部フレーム３外面に水平方向に形成された取付け溝３ａに嵌合可能であり、四方に設けられる上部フレーム３の適所に取付けられるように成っている。
【００１７】
図１及び図２（ａ）に示されるように、上記した枠体は、左右一対の杆材１０、及び上下一対の連結材１１，１１により正面視略長方形状に形成されており、この枠体に設けられる張り材１２もまた正面視略長方形状に張設されている。杆材１０は、断面視略円形の棒状部材から成り（図５（ｂ）参照）、その上端部１０ｂが取付部材１４により上部フレーム３の取付け溝３ａに固着されるとともに、その下端に接続された接地部１３が床面に接地されている。
【００１８】
また図２（ｂ）に示されるように、杆材１０は、その下部から上部にかけて、共有空間構造体１の外方から内方に向かう緩斜形状に形成され、更に杆材１０の上端部において、後方に向けて屈曲した形状と成っている。このようにすることで、杆材１０の上部に取付ける連結材１１よりも下部に取付ける連結材１１を、共有空間構造体１の外方側に配設でき、四辺の端縁部が杆材１０，１０及び連結材１１，１１に被嵌された張り材１２が上部から下部にかけて共有空間構造体１の外方側に向けて張出した形状に張設できるため、パネル装置７背面側の共有空間構造体１の内部空間を、より広く確保することができる。
【００１９】
また、連結材１１は、断面視略円形の内空構造を有する筒状部材から成り、左右一対の杆材１０，１０の上部及び下部において、上下一対に杆材１０，１０に対し固着され杆材１０同士を連結している。
【００２０】
次に、図２（ａ）に示されるように、張り材１２は、杆材１０，１０及び連結材１１，１１により形成される四辺形状と略同形の略四辺形状であって、四辺の上下左右の端縁部それぞれが、杆材１０若しくは連結材１１を軸方向に収容可能な筒状部１２ａ，１２ｂに形成されている。また、図２（ａ）の囲い部に示されるように、略直交方向に隣り合う２辺の角部は、斜辺を成すように切り欠かれた切欠き部１２ｃが形成されている。筒状部１２ａ，１２ｂは、杆材１０若しくは連結材１１の断面よりも若干大きく張設することで、後述のように、筒状部１２ａに杆材１０を嵌挿させた張り材１２を杆材１０の軸方向に移動させたり、若しくは筒状部１２ｂに嵌挿した連結材１１が軸回りに回動自在に成っている。
【００２１】
次に、パネル装置７の組付けについて説明する。
【００２２】
まず、図３（ａ）に示されるように、一対の杆材１０，１０を上下方向に対向配置するとともに、張り材１２の左右辺の筒状部１２ａそれぞれに、杆材１０を下端側から嵌挿させ、張り材１２を順次上方に引き上げ、この筒状部１２ａの上下両端に亘って杆材１０を嵌挿させる。このように嵌挿させた後、杆材１０の下端に床面に接地する接地部１３を取付ける。
【００２３】
次に、左右一対の杆材１０における連結材１１が取付けられる下部において、互いに対向する杆材１０に向かって延びる突軸１７を、左右一対に取付ける。具体的には、図４に示されるように、杆材１０の下部に左右方向に貫通する貫通孔１０ａが開口しており、杆材１０の左右方向外方から挿通した皿ネジ２０と、突軸１７の軸方向に形成された雌ネジ孔１７ｂとを螺合することで、突軸１７を杆材１０に対し固着する。突軸１７の杆材１０と当接する端面１７ｄは、杆材１０の外周面に沿った凹形状に形成されており、このようにすることで、突軸１７が杆材１０に対し確実に位置決めされる。また、突軸１７の外周面１７ａには、突軸１７を杆材１０に取付けた状態において外周面１７ａを上下方向に貫通する貫通孔１７ｃが形成されている。
【００２４】
次に、図３（ｂ）に示されるように、張り材１２の下辺の筒状部１２ｂに、左右両端に亘って連結材１１を嵌挿させる。具体的には、図４に示されるように、連結材１１は、両端が開口した筒フレーム１５と、この筒フレーム１５の両端部にそれぞれ嵌合され、軸方向に延びる係合部としての係合片１６と、から主として構成される。係合片１６は、筒フレーム１５の内周に沿った断面形状の被嵌合部１６ａを筒フレーム１５に嵌合するとともに、筒フレーム１５の周壁を貫通した孔部１５ａを嵌挿し被嵌合部１６ａの雌ネジ孔１６ｅに螺合するネジ２１により、筒フレーム１５に対し固着される。また、係合片１６の筒フレーム１５から突出した部分は、突軸１７の外周面１７ａを略半周分被覆する内周面１６ｃを備えた半割部１６ｂに形成される。半割部１６ｂの軸方向の端面１６ｄは、杆材１０の外周面に沿った凹形状に形成されている。更に、筒フレーム１５の両端にそれぞれ係合片１６を固着して成る連結材１１の軸方向の寸法は、対向する一対の杆材１０の間隔と略同寸に形成されており、後述する連結材１１が杆材１０，１０に係合し、止着された状態において、連結材１１の軸方向の端面、より具体的には連結材１１を構成する係合片１６の端面１６ｄが、杆材１０の外周面における対向する杆材１０側に当接する。また、後述する張り材１２の上辺を構成する筒状部１２ｂに嵌挿される連結材１１もまた、同様の構造を有している。
【００２５】
続いて、図４に示されるように、上記した構成の連結材１１の突軸１７への連結について説明すると、半割部１６ｂの内周面１６ｃが上方を向く位置に筒状部１２ｂ内の連結材１１を回動し、この連結材１１を突軸１７の下方からアプローチして、半割部１６ｂの内周面１６ｃを突軸１７の外周面１７ａの下半部分に当接させる。
【００２６】
次に、半割部１６ｂの内周面１６ｃと同様に突軸１７の外周面１７ａを略半周分被覆する内周面１８ｃを備えた閉塞片１８を、突軸１７の上方からアプローチして、突軸１７の外周面１７ａの残りの上半部分に当接させる。閉塞片１８は、内周面１８ｃから直交方向に突設された雌ネジ孔１８ｂを有する突部１８ａを備えており、この突部１８ａを突軸１７の貫通孔１７ｃに挿通する。そして、半割部１６ｂの内周面を貫通した孔部１６ｆ、及び突軸１７の貫通孔１７ｃを嵌挿した雄ネジ２２により、閉塞片１８の雌ネジ孔１８ｂに螺合する。このようにすることで、左右一対の杆材１０，１０及び杆材１０の下部における連結材１１が連結され、且つ、張り材１２の左右両辺及び下辺に形成された筒状部１２ａ，１２ｂに、それぞれ杆材１０，１０及び連結材１１が嵌挿された状態となる。
【００２７】
次に、張り材１２の上辺に嵌合した連結材１１を突軸１７に係合する工程について説明する。
【００２８】
図３（ｂ）に示されるように、張り材１２の上辺を構成する筒状部１２ｂに、上記と同様の構成の連結材１１を嵌挿し、張り材１２の上辺を上方に向けて引き上げ、杆材１０の上部に固着した突軸１７に対しアプローチする。上述したように張り材１２の下辺は、杆材１０に連結された連結材１１により既に拘束されているため、張り材１２の上辺が突軸１７に接近するに伴い、張り材１２に上下方向に張力が発生するが、この張力に対抗して張り材１２を更に引き上げる。
【００２９】
図５（ａ），（ｂ）に示されるように、より具体的には、上述と同様に係合片１６における半割部１６ｂの内周面１６ｃが上方を向く位置に筒状部１２ｂ内の連結材１１を回動した状態で、張り材１２の上辺を引き上げる。このとき、杆材１０の外周面に沿って杆材１０の軸方向視凹形状に形成される半割部１６ｂの端面１６ｄが、杆材１０の外周面に沿って摺接しながら連結材１１を上方の突軸１７に向けて杆材１０の軸方向に案内する。このようにすることで、連結材１１が、張り材１２により発生する張力を原因として杆材１０に対してぶれることなく、突軸１７に向けて確実にアプローチ出来る。
【００３０】
次に、係合片１６の内周面１６ｃが突軸１７の外周面１７ａの下半部分に当接する位置まで張り材１２を引き上げ、図６（ａ）に示されるように、この内周面１６ｃを突軸１７の外周面１７ａに当接させた状態を維持しながら、連結材１１を略半周分、すなわち内周面１６ｃが突軸１７の外周面１７ａの上半部分に当接する位置まで回動する。この回動により、係合片１６が、下方の連結材１１との間に突軸１７を挟む位置に配置して突軸１７に対し係合する。このようにすることで、下方の連結材１１との間の方向において張り材１２に発生する張力に対抗して係合し易く、また発生した張力を利用して、連結材１１を突軸１７から外れることなく係合状態を維持出来る。
【００３１】
また、係合片１６が設けられた連結材１１を突軸１７に係合する際に、下方の連結材１１側から上方の突軸１７に向けてアプローチした係合片１６の内周面１６ｃを突軸１７の外周面１７ａに当接させ、この状態で筒状部１２ｂに嵌挿された連結材１１を回動することで、係合片１６の内周面１６ｃを突軸１７の外周面１７ａに沿って移動させるだけで、一対の杆材１０，１０の間隔を一々変えることなく、下方の連結材１１との間に突軸１７を挟む位置に容易に配置することができる。
【００３２】
また、上記したように、連結材１１が突軸１７に対し係合した状態になると同時に、張り材１２における筒状部１２ａ，１２ｂに形成された四辺全てが、杆材１０，１０及び連結材１１，１１に被嵌された状態になり、すなわち張り材１２が張設される。
【００３３】
次に、上述した連結材１１を突軸１７に止着する工程について説明する。
【００３４】
図６（ｂ）に示されるように、半割部１６ｂの内周面１６ｃと同様に突軸１７の外周面１７ａを略半周分被覆する内周面１８ｃを備えた閉塞片１８を、突軸１７の下方からアプローチして、突軸１７の外周面１７ａの残りの下半部分に当接させる。閉塞片１８は、内周面１８ｃから直交方向に突設された雌ネジ孔１８ｂを有する突部１８ａを備えており、この突部１８ａを突軸１７の貫通孔１７ｃに挿通する。そして、半割部１６ｂの内周面１６ｃを貫通した孔部１６ｆ、及び突軸１７の貫通孔１７ｃを嵌挿した雄ネジ２２により、閉塞片１８の雌ネジ孔１８ｂにより螺合して、連結材１１を突軸１７に対し止着する。このようにすることで、左右一対の杆材１０，１０及び連結材１１，１１が連結され、且つ、張り材１２の四辺に形成された筒状部１２ａ，１２ｂに、それぞれ杆材１０，１０及び連結材１１，１１が嵌挿された状態となる。
【００３５】
また、閉塞片１８の軸方向の端面１８ｄは、上記した係合片１６の端面１６ｄと同様に、杆材１０の外周面に沿った凹形状に形成されている。このようにすることで、端面１８ｄが、杆材１０の外周面に沿って摺接しながら閉塞片１８を突軸１７に向けて杆材１０の軸方向に確実に案内できる。
【００３６】
このように、突軸１７に係合した係合片１６を利用して、この係合片１６と閉塞片１８との間で突軸１７を挟持するだけで、連結材１１を突軸１７に対し簡便に止着できる。また、突軸１７の外周面１７ａをほぼ全周に亘って利用して、連結材１１の突軸１７に対する止着に寄与することができる。
【００３７】
また、突軸１７に形成された貫通孔１７ｃに、閉塞片１８に突設された雌ネジ孔１８ｂを有する突部１８ａを嵌合するとともに、係合片１６の上方から挿入した雄ネジ２２により螺合することで、連結材１１を容易かつ強固に杆材１０に止着することができる。更に、突軸１７の貫通孔１７ｃが杆材１０の軸方向に形成されていることで、張り材１２の張力により一対の連結材１１，１１に発生する杆材１０の軸方向の張力により、雄ネジ２２にせん断力が生じてしまうことを防止できる。
【００３８】
上述したように、張り材１２の上辺を構成する筒状部１２ｂに嵌挿された連結材１１を、突軸１７に係合し止着することで、連結材１１の杆材１０への連結作業と、張り材１２の張設作業とを同時に行うことが出来る。また、連結材１１の係合片１６を突軸１７に係合し、この係合で張り材１２により発生する張力を突軸１７に預け位置決めした状態で、連結材１１を突軸１７に対し止着できるので、張り材１２の張設の際に発生する張力に対抗しながら連結材１１を止着する不具合を解消でき、連結材１１を杆材１０に止着し易い。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、上記実施例では、連結材１１は、筒フレーム１５の両端に係合片１６が嵌合されて構成されているが、例えば、連結材は、両端が開口し突軸の外径よりも大径の内径を有した内空構造の筒状体であって、周壁の一部が端部から軸方向に切り欠かれた切欠き部に形成されており、突軸に向けてアプローチした前記筒状体の切欠き部に突軸を通過させ、突軸を筒状体の内部に配置させた後、該筒状体を略半周回動させて、筒状体の内周面を突軸の外周面に係合させるようにしてもよい。
【００４１】
また、上記実施例では、張り材１２は、略四辺形状に構成される枠体に被嵌される略四辺形状に形成されているが、例えば張り材の形状は、略三角形若しくは略五角形などの多角形状であってもよいし、円形状若しくは楕円形状であってもよい。
【００４２】
また、上記実施例では、張り材１２の端縁部が、杆材１０若しくは連結材１１を嵌挿する筒状部１２ａ，１２ｂに形成されているが、杆材若しくは連結材は、張り材の端縁部に対し嵌合されていれば、例えば杆材若しくは連結材の周面に軸方向に開口した開口部が形成され、該開口部に張り材の端縁部が固定に嵌合されていてもよい。
【００４３】
更に、上記実施例では、杆材１０に設けられる突軸１７が、互いに対向する杆材１０に向かって延びる方向に、左右一対に取付けられているが、例えば左右一対の突軸が、何れもパネル装置の前方側に向かって延びる方向に取付けられていてもよいし、また何れもパネル装置の後方側に向かって延びる方向に取付けられていてもよい。
【００４４】
また、上記実施例では、パネル装置７は、共有空間構造体１を構成する上部フレーム３に取付けられ、共有空間構造体１内のコミュニケーションスペースを遮蔽するように設けられているが、パネル装置は、必ずしも共有空間構造体に取付けられるものに限られず、別の構造体などに取付けられ、該パネル装置の前後を仕切るものであってもよい。
【図面の簡単な説明】
【００４５】
【図１】本発明のパネル装置が適用された共有空間構造体の全体像を示す斜視図である。
【図２】（ａ）は、パネル装置の一部破断正面図であり、（ｂ）は、パネル装置の側面図である。
【図３】（ａ）は、張り材を杆材に嵌挿した状況を示す斜視図であり、（ｂ）は、連結材を突軸に取付ける状況を示す斜視図である。
【図４】杆材と連結材との取付状況を示した斜視図である。
【図５】（ａ）は、連結材を突軸にアプローチする状況を示す拡大正面図であり、（ｂ）は、（ａ）のＡ−Ａ断面図である。
【図６】（ａ）は、連結材を突軸に係合した状況を示す拡大正面図であり、連結材を突軸に止着する状況を示す拡大正面図である。
【符号の説明】
【００４６】
１                共有空間構造体
３                上部フレーム
７                パネル装置
１０              杆材
１１              連結材
１２              張り材
１２ａ，１２ｂ           筒状部
１５              筒フレーム
１６              係合片
１６ｃ            内周面
１６ｄ            端面
１７              突軸
１７ａ            外周面
１７ｃ            貫通孔
１７ｄ            端面
１８              閉塞片
１８ａ            突部
１８ｂ            雌ネジ孔
１８ｃ            内周面
２２              雄ネジ
【図１】
2009114704.tif 000003
【図２】
2009114704.tif 000004
【図３】
2009114704.tif 000005
【図４】
2009114704.tif 000006
【図５】
2009114704.tif 000007
【図６】
2009114704.tif 000008